(57)【要約】【課題】テレビ等の表示装置において、高度な画像処理を行なうことなく、リモコン等の操作が正常に実行されたか否かを自動的に検査できる検査装置及び検査方法を提供する。【解決手段】液晶テレビ１１のディスプレイ１２の表示画面による操作機能を検査する検査装置２１において、検査の手順を記憶するシナリオ保持部４１と、検査を実行する制御信号を生成し出力するシナリオ処理部３１と、マスク制御信号を生成し出力するマスク処理部３３と、検査制御信号により検査が実行され、マスク制御信号により光の透過が調整された表示画面を撮像するカメラ２３と、検査及びマスクの制御により表示される期待表示画面を生成し記憶する期待画像保持部４４と、撮像された表示画面と期待表示画面とを比較して検査対象が正常に動作しているか否かを判定する判定処理部３５とを備えることを特徴とするものとする。【選択図】図１
2007325056.tif 000002
【特許請求の範囲】
【請求項１】
動画を表示可能な表示装置における表示画面による操作機能を検査する検査装置において、
検査に関する手順を記憶する検査手順記憶手段と、
前記記憶された検査手順に基づいて検査を実行するための制御信号を生成し出力する検査制御信号生成出力手段と、
前記記憶された検査手順に基づいて表示画面から発する光の透過を調整するマスクを制御するマスク制御信号を生成し出力するマスク制御信号生成出力手段と、
前記記憶された検査手順に基づいて前記検査制御信号により検査が実行され、かつ前記マスク制御信号により光の透過が調整された検査対象の表示画面を撮像する表示画面撮像手段と、
前記検査手順に基づく検査及び前記マスクの制御により表示が期待される期待表示画面を生成し記憶する期待表示画面生成記憶手段と、
前記撮像された表示画面と前記期待表示画面とを比較して検査対象が正常に動作しているか否かを判定する検査判定手段と、
を備えることを特徴とする検査装置。
【請求項２】
前記マスク制御信号は、前記検査対象の表示画面と前記表示画面撮像手段との間に設けられた液晶シャッターを制御する信号であることを特徴とする請求項１に記載の検査装置。
【請求項３】
前記マスク制御信号は、前記検査対象の表示画面の明るさを調整するバックライトを制御する信号であることを特徴とする請求項１に記載の検査装置。
【請求項４】
前記マスク制御信号は、前記検査対象の表示画面を表示するためのドライバを制御する信号であることを特徴とする請求項１に記載の検査装置。
【請求項５】
動画を表示可能な表示装置における表示画面による操作機能を検査する検査方法において、
検査に関する手順を記憶する工程と、
前記記憶された検査手順に基づいて検査を実行するための制御信号を生成し出力する工程と、
前記記憶された検査手順に基づいて表示画面から発する光の透過を調整するマスクを制御するマスク制御信号を生成し出力する工程と、
前記記憶された検査手順に基づいて前記検査制御信号により検査が実行され、かつ前記マスク制御信号により光の透過が調整された検査対象の表示画面を撮像する工程と、
前記検査手順に基づく検査及び前記マスクの制御により表示が期待される期待表示画面を生成し記憶する工程と、
前記撮像された表示画面と前記期待表示画面とを比較して検査対象が正常に動作しているか否かを判定する工程と、
を備えることを特徴とする検査方法。
【発明の詳細な説明】
【技術分野】
【０００１】
本発明は、検査装置及び検査方法に関し、特に表示装置、リモートコントロール装置その他の電子機器を検査する検査装置及び検査方法に関する。
【背景技術】
【０００２】
近年、デジタルテレビ等に代表される表示装置には、入力切替機能、電子番組ガイド機能、画質調整機能その他の様々な機能が搭載されるようになっている。これらの機能を実行するための操作は、主に表示装置に付随するリモートコントロール装置（略してリモコン）を使用してなされている。
【０００３】
そのため、表示装置の機能を検査する際には、リモコンを操作することにより、表示装置本体の機能が正常に動作するか否かの検査が重要となっているが、前述したように、表示装置の多機能化によって、リモコン操作に関する検査項目も多くなり、更に検査内容も複雑化している。
【０００４】
しかし、従来、リモコン操作に限らず機能を実行するための操作が正常であるか否かの検査は、手作業によってなされていることが多く、検査時間及び信頼性等の観点から問題があり、検査の自動化が急務となっていた。
【０００５】
そこで、携帯電話の操作ボタンによる種々の設定動作が設計通りに行えるようになっているかどうかを簡単かつ自動的に判定できるようにしたものが開示されている。
この従来技術は、予め撮像しておいた携帯電話の全体像を表示部に表示させるとともに、表示した携帯電話の全体画像の表示位置に撮像手段で得た前記表示部の画像を表示し、携帯電話の全体画像の操作ボタンの画像に対して複数の押下手段の一つを割り当て、この割り当てられた操作ボタンの画像部に対する指示操作によって上記押下手段を動作させ、この動作によって変化する携帯電話の表示部の表示内容から、該携帯電話の操作ボタンの押下と上記携帯電話の表示との一致性を確認可能としたものである（特許文献１を参照）。
【特許文献１】特開２００１−２６８２０２号公報
【発明の開示】
【発明が解決しようとする課題】
【０００６】
しかしながら、デジタルテレビ等の表示装置の検査においては、以下に示す理由により、上述したような従来の技術をそのまま適用することは困難である。
すなわち、携帯電話の表示部が主に静止画を表示するのに対して、テレビに代表される表示装置の表示部は主に放送番組等の動画を表示する点で状況が異なっている。
【０００７】
具体的には、テレビのリモコンによって、何らかの機能を実行するような操作を行った場合には、実行された機能に応じて、動画である放送番組の上に別の表示内容が表示される。別の表示内容とは、例えば、画質調整を行うためのメニュー表示、現在視聴している放送番組のチャンネル表示、ＥＰＧ（Electronic Program Guide：電子番組ガイド）表示等である。
【０００８】
それゆえ、撮像された表示部の画像は、静止画の場合とは異なり、撮像されたタイミングにより変化するので、表示画面全体としては同一の表示となることは極めて稀である。
【０００９】
また、テレビの画像表示は、リモコンによりＥＰＧ表示等の機能を実行すると、ＥＰＧ等が表示されている矩形領域の中で、放送番組等の動画をアルファブレンディングにより透過させて見せる場合がある。ここで、アルファブレンディングとは、２枚の画像に対して係数(アルファ値)を使って半透明合成を行うことである。
【００１０】
このような場合に、従来の技術を適用するには、テレビの表示内容からアルファブレンディングによる合成がされていない静止画像部分のみを抽出して、あらかじめ撮像した画像と比較する必要がある。しかし、このような静止画像の抽出には、高度な画像処理の手法が必要であり、実現するにはかなりの困難がある。
【００１１】
本発明は、上記従来の問題点に鑑みてなされたものであって、テレビ等の動画を表示可能な表示装置において、高度な画像処理を行なうことなく、リモコン等の操作が正常に実行されたか否かを自動的に検査できる検査装置及び検査方法を提供することを目的とする。
【課題を解決するための手段】
【００１２】
上述した課題を解決するための本発明に係る検査装置及び検査方法は、次の通りである。
請求項１に記載した検査装置は、動画を表示可能な表示装置における表示画面による操作機能を検査する検査装置において、検査に関する手順を記憶する検査手順記憶手段と、前記記憶された検査手順に基づいて検査を実行するための制御信号を生成し出力する検査制御信号生成出力手段と、前記記憶された検査手順に基づいて表示画面から発する光の透過を調整するマスクを制御するマスク制御信号を生成し出力するマスク制御信号生成出力手段と、前記記憶された検査手順に基づいて前記検査制御信号により検査が実行され、かつ前記マスク制御信号により光の透過が調整された検査対象の表示画面を撮像する表示画面撮像手段と、前記検査手順に基づく検査及び前記マスクの制御により表示が期待される期待表示画面を生成し記憶する期待表示画面生成記憶手段と、前記撮像された表示画面と前記期待表示画面とを比較して検査対象が正常に動作しているか否かを判定する検査判定手段と、を備えたことを特徴とするものである。
【００１３】
この検査装置を用いて、それぞれ機能する前記手段をコンピュータの制御により次の手順で検査を行う。
まず、検査実行前にリモコンの操作、カメラによる撮像、画像判定を行うタイミング、リモコンの操作に対応するマスクデータと結果として期待される画像を記録しておいたテストシナリオを用意し、検査装置に保存しておく。次に、検査開始命令を受けると検査手順に従い、リモコン操作命令の場合はリモコンの操作を行い、判定操作の場合はマスクの制御、カメラによる撮像、画像の判定の順に処理を行う。このようにして本発明に係る検査装置により自動的にリモコン機能の検査を行うことが可能となる。
【００１４】
請求項２に記載の検査装置は、請求項１に記載した発明の構成に加えて、前記マスク制御信号を、前記検査対象の表示画面と前記表示画面撮像手段との間に設けられた液晶シャッターを制御する信号とすることを特徴とするものである。
【００１５】
請求項３に記載の検査装置は、請求項１に記載した発明の構成に加えて、前記マスク制御信号を、前記検査対象の表示画面の明るさを調整するバックライトを制御する信号とすることを特徴とするものである。
【００１６】
請求項４に記載の検査装置は、請求項１に記載した発明の構成に加えて、前記マスク制御信号を、前記検査対象の表示画面を表示するためのドライバを制御する信号とすることを特徴とするものである。
【００１７】
また、請求項５に記載の検査方法は、動画を表示可能な表示装置における表示画面による操作機能を検査する検査方法において、検査に関する手順を記憶する工程と、前記記憶された検査手順に基づいて検査を実行するための制御信号を生成し出力する工程と、前記記憶された検査手順に基づいて表示画面から発する光の透過を調整するマスクを制御するマスク制御信号を生成し出力する工程と、前記記憶された検査手順に基づいて前記検査制御信号により検査が実行され、かつ前記マスク制御信号により光の透過が調整された検査対象の表示画面を撮像する工程と、前記検査手順に基づく検査及び前記マスクの制御により表示が期待される期待表示画面を生成し記憶する工程と、前記撮像された表示画面と前記期待表示画面とを比較して検査対象が正常に動作しているか否かを判定する工程と、を備えることを特徴とするものである。
【発明の効果】
【００１８】
請求項１に記載した発明によれば、動画を表示可能な表示装置における表示画面による操作機能を検査する検査装置において、検査に関する手順を記憶する検査手順記憶手段と、前記記憶された検査手順に基づいて検査を実行するための制御信号を生成し出力する検査制御信号生成出力手段と、前記記憶された検査手順に基づいて表示画面から発する光の透過を調整するマスクを制御するマスク制御信号を生成し出力するマスク制御信号生成出力手段と、前記記憶された検査手順に基づいて前記検査制御信号により検査が実行され、かつ前記マスク制御信号により光の透過が調整された検査対象の表示画面を撮像する表示画面撮像手段と、前記検査手順に基づく検査及び前記マスクの制御により表示が期待される期待表示画面を生成し記憶する期待表示画面生成記憶手段と、前記撮像された表示画面と前記期待表示画面とを比較して検査対象が正常に動作しているか否かを判定する検査判定手段と、を備えることにより、それぞれ機能する前記手段をコンピュータにより制御して、検査実行前にリモコンの操作、カメラによる撮像、画像判定を行うタイミング、リモコンの操作に対応するマスクデータと結果として期待される画像を記録しておいたテストシナリオを用意し、検査装置に保存し、検査開始命令を受けると検査手順に従い、リモコン操作命令の場合はリモコンの操作を行い、判定操作の場合はマスクの制御、カメラによる撮像、画像の判定の順に処理を行うことで、テレビ等の動画を表示可能な表示装置において、高度な画像処理を行なうことなく、リモコン等の操作が正常に実行されたか否かを自動的に検査できる検査装置を実現できる。
【００１９】
また、請求項２〜４に記載の発明によれば、請求項１に記載の発明で得られる上記共通の効果に加え、次の効果を得ることができる。
【００２０】
すなわち、請求項２に記載した発明によれば、請求項１に記載の発明で得られる効果に加えて、前記マスク制御信号を、前記検査対象の表示画面と前記表示画面撮像手段との間に設けられた液晶シャッターを制御する信号とすることで、液晶シャッターを制御して容易に自動検査を行うことができる。
【００２１】
請求項３に記載した発明によれば、請求項１に記載の発明で得られる効果に加えて、前記マスク制御信号を、前記検査対象の表示画面の明るさを調整するバックライトを制御する信号とすることで、バックライトを制御して容易に自動検査を行うことができる。
【００２２】
請求項４に記載した発明によれば、請求項１に記載の発明で得られる効果に加えて、前記マスク制御信号を、前記検査対象の表示画面を表示するためのドライバを制御する信号とすることで、表示画面を制御して容易に自動検査を行うことができる。
【００２３】
また、請求項５に記載した発明によれば、動画を表示可能な表示装置における表示画面による操作機能を検査する検査方法において、検査に関する手順を記憶する工程と、前記記憶された検査手順に基づいて検査を実行するための制御信号を生成し出力する工程と、前記記憶された検査手順に基づいて表示画面から発する光の透過を調整するマスクを制御するマスク制御信号を生成し出力する工程と、前記記憶された検査手順に基づいて前記検査制御信号により検査が実行され、かつ前記マスク制御信号により光の透過が調整された検査対象の表示画面を撮像する工程と、前記検査手順に基づく検査及び前記マスクの制御により表示が期待される期待表示画面を生成し記憶する工程と、前記撮像された表示画面と前記期待表示画面とを比較して検査対象が正常に動作しているか否かを判定する工程と、を備えることにより、それぞれ機能する前記手段をコンピュータにより制御して、検査実行前にリモコンの操作、カメラによる撮像、画像判定を行うタイミング、リモコンの操作に対応するマスクデータと結果として期待される画像を記録しておいたテストシナリオを用意し、検査装置に保存し、検査開始命令を受けると検査手順に従い、リモコン操作命令の場合はリモコンの操作を行い、判定操作の場合はマスクの制御、カメラによる撮像、画像の判定の順に処理を行うことで、テレビ等の動画を表示可能な表示装置において、高度な画像処理を行なうことなく、リモコン等の操作が正常に実行されたか否かを自動的に検査できる検査方法を実現できる。
【発明を実施するための最良の形態】
【００２４】
（第１実施形態）
以下、本発明の実施の形態について添付図面を参照して説明する。
図１〜図２は発明を実施する形態の一例であって、図１は本発明の実施形態に係る検査装置の全体の構成を示す説明図、図２は前記検査装置を構成するコンピュータの構成を示すブロック図である。
【００２５】
本実施形態に係る検査装置２１は、図１に示すように、主に、リモコン２４、液晶シャッター２５、カメラ２３、およびこれらを制御するコンピュータ２２から構成され、動画表示が可能な液晶テレビ１１のディスプレイ（表示装置）１２の表示画面による操作機能を検査するものである。
【００２６】
カメラ２３は、ディスプレイ１２の撮像を行うための表示画面撮像手段である。
液晶シャッター２５は、ディスプレイ１２の前方に配置され、このディスプレイ１２の液晶パネルにマスクをかけるためのマスク制御手段である。
ここで、マスクとはディスプレイ１２からの光を遮ることにより、表示される映像の任意の部分を隠すことである。
【００２７】
検査対象となる液晶テレビ１１は、ディスプレイ１２とリモコン受信部１３を備えている。リモコン２４は赤外線信号出力手段である。リモコン２４から出力された信号を液晶テレビ１１がリモコン受信部１３で受け取ったときに、ディスプレイ１２に動画表示さている放送番組の上に、リモコン２４の操作内容に従って別の表示内容が表示されるようになっている。
【００２８】
検査装置２１は、ディスプレイ１２の表示内容の変化をカメラ２３によって撮像し、撮像した画像と検査開始前にコンピュータ２２に記憶しておいた期待表示画像とをコンピュータ２２が比較することにより、液晶テレビ１１が正常に動作しているかを判定する。
【００２９】
次に、検査装置２１を構成するコンピュータ２２について説明する。
コンピュータ２２は、図２に示すように、シナリオ処理部３１、リモコン信号制御部３２、マスク処理部３３、撮像処理部３４、判定処理部３５、シナリオ保持部４１、マスクデータ保持部４２、撮像画像保持部４３、期待画像保持部４４、編集画像保持部４５、および入力装置５１、結果表示・保存部５２で構成される。
【００３０】
シナリオ保持部４１は、検査対象に対して検査する手順を記録したシナリオを記憶させる検査手順記憶手段である。
【００３１】
マスクデータ保持部４２は、検査手順の中でリモコン操作に対応した表示画面へかけるマスクの画像をマスクデータファイルとして記憶させるマスク制御情報記憶手段である。
【００３２】
入力装置５１は、ユーザがシナリオ保持部４１に記憶されたシナリオから検査する手順のシナリオを選び検査開始命令を出すための入力手段である。
【００３３】
撮像画像保持部４３は、カメラ２３が撮像した画像を記憶する撮像画像記憶手段である。
【００３４】
期待画像保持部４４は、シナリオ中のリモコン操作に対応した表示結果である期待表示画面を生成し検査開始前に記憶する期待表示画面生成記憶手段である。
【００３５】
シナリオ処理部３１は、シナリオ保持部４１から取り出したシナリオの内容、実行時間に従って、リモコン信号制御部３２に、マスク処理部３３、撮像処理部３４、および判定処理部３５へ検査制御信号を出力する検査制御信号生成出力手段である。
【００３６】
ここで、リモコン信号制御部３２に対する検査制御信号とは、リモコン２４に対してどのように赤外線出力させるかのキーコードおよび、実行命令である。
マスク処理部３３に対する検査制御信号とは、マスクデータ内容を液晶シャッター２５に出力させるかのマスクデータファイル名および、実行命令である。
撮像処理部３４に対する検査制御信号とは、カメラ２３に対してディスプレイ１２の撮像を行い撮像画像保持部４３に撮像画像を保存させる実行命令である。
判定処理部３５に対する検査制御信号とは、撮像画像保持部４３から撮像画像を取り出させる実行命令、期待画像保持部４４からどの期待表示画像を取り出させるかのファイル名、および判定実行命令である。
【００３７】
リモコン信号制御部３２は、シナリオ処理部３１から検査制御信号が送られてきたときに、指定されたキーコードに対応した赤外線制御信号をリモコン２４へ出力する赤外線信号生成手段である。
【００３８】
マスク処理部３３は、シナリオ処理部３１から検査制御信号が送られてきたときに、マスクデータ保持部４２から取り出すマスクデータファイルをマスク制御信号として出力し、液晶シャッター２５が取り出したマスクデータに従った光の調整を行うように命令するマスク制御信号生成出力手段である。
【００３９】
撮像処理部３４は、シナリオ処理部３１から検査制御信号が送られてきたときに、液晶シャッター２５によってマスクのかけられた表示画面を撮像し、撮像した画像を撮像画像保持部４３に保存するようにカメラ２３に命令するものである。
【００４０】
判定処理部３５は、シナリオ処理部３１から検査制御信号が送られてきたときに、期待画像保持部４４から指定された期待画像ファイルを取り出し、この期待画像と撮像画像保持部４３から取り出した撮像画像とを重ね合わせることにより差分画像を作成し、これら２つの画像が一致するか否かの判定を行う検査判定手段であり、その判定結果を結果表示・保存部５２へ送るものである。
【００４１】
結果表示・保存部５２は、判定処理部３５より送られたシナリオの判定結果をコンピュータ２２のディスプレイに表示するものである。
【００４２】
次に、コンピュータ２２を構成するシナリオ処理部３１について図面を参照して説明する。
図３は本実施形態に係るシナリオ処理部の構成を示すブロック図である。
シナリオ処理部３１は、図３に示すように、入力処理部３１１、シナリオ読み出し部３１２、シナリオ解釈部３１３、シナリオ実行部３１４、およびタイマー３１５を備える。
【００４３】
入力処理部３１１は、入力装置５１から検査開始命令を受け取り、シナリオ読み出し部３１２にシナリオの読み出しを指示するものである。
【００４４】
シナリオ読み出し部３１２は、入力処理部３１１から命令を受けたときに、シナリオ保持部４１からテストシナリオを取り出し、テストシナリオを１行読み出し、シナリオ解釈部３１３に渡すものである。
【００４５】
シナリオ解釈部３１３は、シナリオ読み出し部３１２が読み出した命令から、操作実行時間、操作分類、操作内容を解釈し、タイマー３１５に操作実行時間、シナリオ実行部３１４操作分類と操作内容を渡すものである。
【００４６】
タイマー３１５は、シナリオ解釈部３１３から渡された操作実行時間を計測しシナリオ実行部３１４に通知するものである。
【００４７】
シナリオ実行部３１４は、シナリオ解釈部３１３が解釈した命令を受け取り、タイマー３１５から操作実行時間が通知されると、操作分類、操作内容に従って各制御部へ検査制御信号を出力するものである。ここで、操作分類とは、シナリオに書かれた操作がリモコン操作であるか判定操作であるかを指す。また、操作内容とは、シナリオに書かれた操作分類がリモコン操作である場合にはリモコンのキーコードを指す。
【００４８】
操作分類がリモコン操作である場合には、シナリオ実行部３１４は、リモコン信号制御部３２へ操作内容に書かれた検査制御信号を出力する。
【００４９】
一方、操作分類が判定操作である場合には、シナリオ実行部３１４は、マスク処理部３３、撮像処理部３４、判定処理部３５の順に操作内容に書かれた検査制御信号を出力する。
【００５０】
次に、本実施形態に係る検査装置２１により表示画面による操作機能を検査する処理工程についてフローチャートに基づき説明する。
図４は本実施形態に係る検査装置により検査を行なう際の処理フローを示すフローチャートである。
【００５１】
まず、検査開始前に検査を実行するためのシナリオファイルをシナリオ保持部４１に保存し、マスクデータをマスクデータ保持部４２に保存し、及び期待画像を期待画像保持部４４に保存する。
【００５２】
検査開始の命令がキーボード入力部よりシナリオ処理部へ渡されると、ステップＳ１１において、シナリオ処理部３１がシナリオ保持部４１より検査開始時に指定されたシナリオファイルを取り出し、ステップＳ１２へ進む。
【００５３】
ステップＳ１２において、シナリオ処理部３１がシナリオを一行読み出し、ステップＳ１３へ進む。
【００５４】
ステップＳ１３において、シナリオ処理部３１が読み出したシナリオがあるか（Ｙ）否か（Ｎ）を判定し、シナリオが存在しない場合はテスト終了となる。一方、シナリオが存在する場合はステップＳ１４へ進む。
【００５５】
ステップＳ１４において、シナリオ処理部３１がテスト開始からの時間が命令実行時間に一致するか（Ｙ）否か（Ｎ）を判定し、一致する場合はステップＳ１５へ進み、一致しない場合は再びステップＳ１４に戻り、命令実行時間まで繰り返す。
【００５６】
ステップＳ１５において、シナリオ処理部３１が読み出したシナリオの実行命令がリモコン操作であるか（Ｙ）否か（Ｎ）を判断し、リモコン操作である場合はステップＳ１６へ進み、リモコン操作でない場合はステップＳ１７へ進む。
【００５７】
ステップＳ１６において、シナリオ処理部３１がリモコン信号制御部３２へ検査制御信号を送り、対応する赤外線信号の出力を行い、終了後にステップＳ１２へ戻る。
【００５８】
ステップＳ１７において、シナリオ処理部３１がシナリオの実行命令が判定操作であるか（Ｙ）否か（Ｎ）を判断し、判定操作である場合はステップＳ１８へ進み、判定操作でない場合はステップＳ１２へ戻る。
【００５９】
ステップＳ１８において、シナリオ処理部３１がマスク処理部３３へ検査制御信号を送り、マスクデータ保持部４２からシナリオの判定操作の中で指定されたマスクデータを取り出し、液晶シャッター２５を制御してディスプレイ１２にマスクをかける制御を行い、終了後ステップＳ１９に進む。
【００６０】
ステップＳ１９において、シナリオ処理部３１が撮像処理部３４へ検査制御信号を送り、マスクのかけられたディスプレイ１２をカメラ２３で撮像し、撮像した画像を撮像画像保持部４３に保存することを行い、終了後ステップＳ２０に進む。
【００６１】
ステップＳ２０において、シナリオ処理部３１が判定処理部３５へ検査制御信号を送り、撮像画像保持部４３に保存されている撮像画像と、期待画像保持部４４に保存されているシナリオの判定の中で指定された期待画像を取り出し、操作終了後ステップＳ２１に進む。
【００６２】
ステップＳ２１において、判定処理部３５が取り出した２つの画像を重ね合わせて、差分画像を作り、画像のずれを考慮して閾値によるフィルタをかけ、終了後ステップＳ２２に進む。
【００６３】
ステップＳ２２において、判定処理部３５が画像全体に対するフィルタをかけた後の差分の割合がシナリオで指定した範囲内におさまる場合は２つの画像が一致していると判定し、範囲を超える場合は不一致と判定し、終了後ステップＳ２３へ進む。
【００６４】
ステップＳ２３において、結果表示・保存部５２が判定処理部３５の出した判定結果をディスプレイに表示し、ファイルを作成して保存することを行い、終了後ステップＳ１２に戻る。
【００６５】
ここで、本実施形態におけるマスク制御について図面を参照して説明する。
図５は本実施形態に係る液晶テレビにおけるマスク制御の一例を示す説明図であって、（ａ）は前記液晶テレビのディスプレイの映像画面に現れる表示画像の一例を示す簡略化した説明図、（ｂ）は前記表示画像を評価するための期待画像を示す説明図、（ｃ）は前記映像画面にマスクをかけるためのマスクデータを示す説明図、（ｄ）は前記マスクデータの一部を拡大したマスク拡大図を示す部分詳細図、（ｅ）は前記映像画面にマスクデータを重ね合わせた状態を示す説明図である。
【００６６】
本実施形態に係る液晶テレビ１１は、リモコン２４の操作により機能実行を行うと、ディスプレイ１２の表示画面上で放送番組等の動画の上に別の表示内容が表示されるようになっている。
【００６７】
例えば、リモコン２４のチャンネルボタンを押すとチャンネル番号が表示されたり、メニューボタンを押すとメニューバーが表示されたり、番組表ボタンを押すとEPG画面が表示されたりする。
【００６８】
ディスプレイ１２に表示される映像画面６１は、図５（ａ）に示すように、例えば、リモコン２４のいずれかのボタンが操作された際に、放送番組の表示画面上に、前記操作により出現する表示画像６１ａが表示される。
【００６９】
この表示状態の時に、リモコン操作後に期待された画面が表示されたかどうかを評価するために、新たに表示された図形（表示画像６１ａ）が正しく表示されているかをチェックすることが好ましい。
【００７０】
従って、期待表示画像としては、図５（ｂ）に示すように、図形のみを評価対象として、図形以外の部分全体を取り除いた期待画像６２を用意する。
なお、文字を対象とする場合でも、文字を図形とみなすことによって同様に扱うことができる。
【００７１】
マスクデータ６３は、図５（ｃ）に示すように、映像画面６１にマスクをかけるための画像である。このマスクデータ６３は、検査実行前に期待画像６２を基にしてドット単位で光を透過させる部分を白、光を透過させない部分を黒と表現するように作成されている。
そして、図５（ｄ）に示すマスクデータ６３の一部を拡大した一例としてマスク拡大図６４のように、光を透過させないか否かを１画素ずつ指定することにより、全体としてマスクデータ６３となるように構成されている。
【００７２】
以上のように構成されたマスクデータ６３を映像画面６１の上に配置して撮像することにより、図５（ｅ）に示す重ね合わせ図６５のように、評価に必要のない部分に対してマスクをかけた画像を得ることができる。
【００７３】
以上のように、マスクデータ６３は、その光を透過させる部分を評価に必要な図形部分だけに絞り込むことが可能なため、表示画面の他の部分の影響を極力排除した撮像画像を得ることが可能となる。これにより、放送番組の動画の上に図形を含む表示内容がアルファブレンディングで半透明合成されている場合でも、半透明の放送番組の動画の影響を極力少なくすることが可能である。
【００７４】
次に、本実施形態に係る検査装置２１によるリモコン操作機能の検査について図面を参照して説明する。
図６は本実施形態に係る液晶テレビにおける表示画像の一例を示す説明図であって、（ａ）はリモコン操作機能が正常に機能した時の前記液晶テレビのディスプレイに表示された映像画面にマスクデータを重ね合わせた撮像画像の一例を示す説明図、（ｂ）は前記撮像画像と期待画像から作成した差分画像の一例を示す説明図、（ｃ）はリモコン操作機能が正常に機能しなかった時の前記液晶テレビのディスプレイに表示された映像画面にマスクデータを重ね合わせた撮像画像の別の例を示す説明図、（ｄ）は前記撮像画像と期待画像から作成した差分画像の一例を示す説明図である。
【００７５】
リモコン操作機能が正常に機能した場合、マスクデータ６３を映像画面６１の上に配置して撮像された撮像画像（成功）６６は、図６（ａ）に示すように、表示画像６１ａとこの表示画像６１ａの部分全体を取り除いた期待画像６２とを重ねた通りの画像となる。
【００７６】
この時の期待画像６２と撮像画像６６を重ね合わせたときの差分を取ることによって得られた差分画像（成功）６７は、図６（ｂ）に示すように、真っ白な差分画像となる。
これにより、期待画像６２とまったく同じ画像が撮像されたことを意味し、リモコン操作が正常に機能したと判定することができる。
【００７７】
一方、リモコン操作機能が正常に機能していない場合の撮像画像（失敗）６８は、図６（ｃ）に示すように、表示画像６１ａとこの表示画像６１ａの部分全体を取り除いた期待画像６２とを重ねたものとは異なる画像となる。本実施形態では、表示画像６１ａに相当する部分が白く抜けた状態となり、その中央部が丸くマスクがかかった状態となっている。
【００７８】
この時の期待画像６２と撮像画像６６を重ね合わせたときの差分を取ることによって得られた差分画像（失敗）６９は、図６（ｄ）に示すように、真っ白な差分画像とは成らずに、表示画像６１ａに相当する部分に差分領域が存在して、上記差分画像６７とは異なる差分画像となる。すなわち、リモコン操作が正常に機能していないと判定することができる。
【００７９】
以上のように構成したので、本実施形態によれば、マスクデータ６３を映像画面６１の上に配置して撮像画像を得るとともに、とその撮像画像に対応する期待画像とを重ね合わせて得られる差分画像に基づき、容易にリモコン操作が正常に機能したか否かを判定することができる。
【００８０】
尚、一般的にはカメラによる撮像を行った場合には、本実施形態に示すように全く同じ画像を得られるとは限らず、従って、正常にリモコン操作が機能した場合でも真っ白な差分画像が得られるとは限らない。
【００８１】
そこで、差分画像内に現れた差分領域が全体に占める割合にあらかじめ上限を設定し、その範囲内（上限の値内）に収まっている場合は正常に機能したと判定するようにしたものであっても良い。
【００８２】
以下に、本実施形態に係る検査装置２１における検査手順のシナリオについて図面を参照して説明する。
図７は本実施形態に係る検査装置における検査手順のシナリオの内容を示す説明図である。
【００８３】
検査装置２１における検査手順のシナリオにおける一つの実行命令は、例えば、図７に示すように、実行時間７１、操作分類７２、及び操作内容７３で構成される。
実行時間７１は、検査開始からの経過時間を表すものである。
操作分類７２は、操作がリモコン操作であるか判定操作であるかを示すものである。
操作内容７３は、操作分類７２に対して具体的な操作を行うための情報である。
【００８４】
例えば、操作分類７２がリモコン操作である場合は、操作内容７３にはリモコン操作を行うためにキーコードを書いておく。
【００８５】
操作分類７２が判定操作の場合は、操作内容７３には判定に用いるためのマスクデータファイル名、期待表示画像ファイル名、および判定値を書いておく。
【００８６】
ここで、判定値とは、撮像画像と期待画像の２つの画像が一致しているかどうかを判定する際に、差分領域が画像全体に占める割合を許可する上限の値とする。
【００８７】
以上のようなシナリオにすることで、差分画像内に現れた差分領域が設定の範囲内（上限の値内）に収まっている場合は正常に機能したと判定することができる。
【００８８】
（第２実施形態）
次に、本発明の第２実施形態について図面を参照して説明する。
図８は本発明の第２実施形態に係る検査装置の全体の構成を示す説明図である。
尚、図８において、図１に示す第１実施形態に係る検査装置と同一の構成要素には同一符号を付することで説明を省略する。
【００８９】
本実施形態に係る検査装置１２１は、１画素ずつ発光することが可能なディスプレイを検査対象とするものである。
例えば、有機EL（electro−luminescence）ディスプレイや、表面電界ディスプレイ（SED；Surface−conduction Electron−emitter Display）、プラズマディスプレイ、LEDバックライトを使用した液晶ディスプレイなどである。
【００９０】
検査装置１２１は、図８に示すように、ディスプレイ１２の表示画面にマスクをかけるためのマスク制御手段として、発光制御部２６用いて発光部（バックライト）１４を制御することによって表示画面の光の調整を行うようにしたものである。
【００９１】
検査装置１２１を構成するコンピュータ２２の構成および作用は、上述した第１実施形態の検査装置２１と同様な構成を有し、同様な作用を実現するものである。
【００９２】
コンピュータ２２内のマスク処理部３３は、発光制御部２６へマスク制御信号を送る機能と、発光部１４における発光させる部分と発光させない部分を調整する機能とを有している。
このように構成することで、ディスプレイ１２の表示画面上で光る場所と光らない場所を作成することが可能となる。
【００９３】
以上のように構成したので、本実施形態によれば上述した第１実施形態と同様に、カメラ２３により撮像された撮像画像に対応する期待画像とを重ね合わせた得られる差分画像に基づき、容易にリモコン操作が正常に機能したか否かを判定することができる。
【００９４】
（第３実施形態）
次に、本発明の第３実施形態について図面を参照して説明する。
図９は本発明の第３実施形態に係る検査装置の全体の構成を示す説明図である。
尚、図９において、図１に示す第１実施形態に係る検査装置と同一の構成要素には同一符号を付することで説明を省略する。
【００９５】
本実施形態に係る検査装置２２１は、ディスプレイ１２に表示する画面情報を記録してあるフレームバッファ（記憶手段）とは別に、フレームバッファ内の情報をコピー可能なメモリ領域（記憶手段）を備え、また、メモリ領域にコピーされた画像情報に基づきディスプレイ１２に画像を表示するためのドライバ１５を備えている。
【００９６】
検査装置２２１を構成するコンピュータ２２の構成および作用は、上述した第１実施形態の検査装置２１と同様な構成を有し、同様な作用を実現するものである。
【００９７】
コンピュータ２２内のマスク処理部３３は、ドライバ１５へマスク制御信号を送る機能と、前記メモリ領域にコピーしたメモリの上に直接マスクデータを埋めることによりディスプレイ１２に表示させる内容を書き換えて、そのメモリをドライバ１５に参照させる機能とを備えている。
このように構成することで、ディスプレイ１２の表示画面上で光る場所と光らない場所を作成することが可能となる。
【００９８】
以上のように構成したので、本実施形態によれば上述した第１実施形態と同様に、カメラ２３により撮像された撮像画像に対応する期待画像とを重ね合わせた得られる差分画像に基づき、容易にリモコン操作が正常に機能したか否かを判定することができる。
【００９９】
尚、本発明の検査装置及び検査方法は、上記した実施の形態に限定されるものではなく、本発明の要旨を逸脱しない範囲内において種々変更を加え得ることは勿論である。
【図面の簡単な説明】
【０１００】
【図１】本発明の第１実施形態に係る検査装置の全体の構成を示す説明図である。
【図２】前記検査装置を構成するコンピュータの構成を示すブロック図である。
【図３】前記検査装置のシナリオ処理部の構成を示すブロック図である。
【図４】前記検査装置により検査を行なう際の処理フローを示すフローチャートである。
【図５】（ａ）は本実施形態に係る液晶テレビのディスプレイの映像画面に現れる表示画像の一例を示す簡略化した説明図、（ｂ）は前記表示画像を評価するための期待画像を示す説明図、（ｃ）は前記映像画面にマスクをかけるためのマスクデータを示す説明図、（ｄ）は前記マスクデータの一部を拡大したマスク拡大図を示す部分詳細図、（ｅ）は前記映像画面にマスクデータを重ね合わせた状態を示す説明図である。
【図６】（ａ）はリモコン操作機能が正常に機能した時の前記液晶テレビのディスプレイに表示された映像画面にマスクデータを重ね合わせた撮像画像の一例を示す説明図、（ｂ）は前記撮像画像と期待画像から作成した差分画像の一例を示す説明図、（ｃ）はリモコン操作機能が正常に機能しなかった時の前記液晶テレビのディスプレイに表示された映像画面にマスクデータを重ね合わせた撮像画像の別の例を示す説明図、（ｄ）は前記撮像画像と期待画像から作成した差分画像の一例を示す説明図である。
【図７】前記検査装置における検査手順のシナリオの内容を示す説明図である。
【図８】本発明の第２実施形態に係る検査装置の全体の構成を示す説明図である。
【図９】本発明の第３実施形態に係る検査装置の全体の構成を示す説明図である。
【符号の説明】
【０１０１】
１１  液晶テレビ
１２  ディスプレイ（表示装置）
１３  リモコン受信部
１５  ドライバ
２１，１２１，２２１  検査装置
２２  コンピュータ
２３  カメラ（表示画面撮像手段）
２４  リモコン
２５  液晶シャッター
３１  シナリオ処理部（検査制御信号生成出力手段）
３２  リモコン信号制御部
３３  マスク処理部（マスク制御信号生成出力手段）
３４  撮像処理部
３５  判定処理部（検査判定手段）
３１１  入力処理部
３１２  シナリオ読み出し部
３１３  シナリオ解釈部
３１４  シナリオ実行部
３１５  タイマー
４１  シナリオ保持部（検査手順記憶手段）
４２  マスクデータ保持部
４３  撮像画像保持部
４４  期待画像保持部（期待表示画面生成記憶手段）
４５  編集画像保持部
５１  入力装置
５２  結果表示・保存部
６１  映像画面
６１ａ  表示画像
６２  期待画像
６３  マスクデータ
６６  撮像画像（成功）
６７  差分画像（成功）
６８  撮像画像（失敗）
６９  差分画像（失敗）
７１  実行時間
７２  操作分類
７３  操作内容
【図１】
2007325056.tif 000003
【図２】
2007325056.tif 000004
【図３】
2007325056.tif 000005
【図４】
2007325056.tif 000006
【図５】
2007325056.tif 000007
【図６】
2007325056.tif 000008
【図７】
2007325056.tif 000009
【図８】
2007325056.tif 000010
【図９】
2007325056.tif 000011